(57)【要約】【課題】サラウンド音場を最適に設定するための測距装置と音場設定方法、及びサラウンドシステムを提供する。【構成】オーディオ信号再生装置９より出力された各チャンネルのオーディオ信号Ｓ１〜Ｓ５を配置されたスピーカＳＰ１〜ＳＰ５から各々再生することによりサラウンド音場を形成するサラウンドシステム１０であり、リスニングポイントＬＰから各スピーカまでの距離Ｌ１〜Ｌ５を測定し、その距離データＤ１〜Ｄ５をオーディオ信号再生装置９に伝送するカメラのオートフォーカス機能とＵＳＢ接続を利用した測距装置１Ａと、伝送された距離データＤ１〜Ｄ５を取得し比較することにより、各チャンネルのオーディオ信号Ｓ１〜Ｓ５の音量調整データとディレイ時間設定データとを生成し、この音量調整データとディレイ時間設定データに応じてオーディオ信号Ｓ１〜Ｓ５に対する音量とディレイ時間を制御するオーディオ信号再生装置９と、を備える構成。【選択図】      図１
2007043320.tif 000002
【特許請求の範囲】
【請求項１】
サラウンドシステムにおける任意のリスニングポイントから配置された各チャンネルのスピーカとの距離を測定する測距手段と、前記測距手段によって得られた各チャンネルのスピーカとの距離データを前記サラウンドシステムに伝送する距離データ伝送手段と、を備えることを特徴とする測距装置。
【請求項２】
三角測距方式または位相差検出方式のレンズのオートフォーカス機能を備え、サラウンドシステムにおける任意のリスニングポイントから配置された各チャンネルのスピーカとの距離を前記レンズのフォーカス動作によって測定する測距手段と、前記測距手段によって得られた各チャンネルのスピーカとの距離データを有線通信または無線通信によって前記サラウンドシステムに伝送する距離データ伝送手段と、を備えることを特徴とする測距装置。
【請求項３】
オーディオ信号再生装置より出力された複数チャンネルのオーディオ信号を配置された各チャンネルのスピーカから再生することによりサラウンド音場を形成するサラウンドシステムの音場設定方法において、
任意のリスニングポイントにて請求項１または請求項２に記載の測距装置を用いて配置された前記各チャンネルのスピーカとの距離を測定し、
前記測距装置で得られた前記リスニングポイントから前記各チャンネルのスピーカまでの距離データを前記サラウンドシステムのオーディオ信号再生装置に伝送し、
前記オーディオ信号再生装置は、前記測距装置から伝送された前記距離データに基づいて前記各チャンネルのオーディオ信号の音量調整データとディレイ時間設定データを生成するとともに、前記音量調整データとディレイ時間設定データに応じて前記各チャンネルのオーディオ信号に対する音量とディレイ時間を制御して前記各チャンネルのスピーカに出力することを特徴とする音場設定方法。
【請求項４】
オーディオ信号再生装置より出力された複数チャンネルのオーディオ信号を配置された各チャンネルのスピーカから再生することによりサラウンド音場を形成するサラウンドシステムにおいて、
任意のリスニングポイントから配置された前記各チャンネルのスピーカまでの距離を測定し、その距離データを前記オーディオ信号再生装置に伝送する請求項１または請求項２に記載の測距装置と、
前記測距装置から伝送された前記距離データを取得し、各チャンネルのスピーカ毎の前記リスニングポイントにおける前記距離データを比較することにより、前記各チャンネルのオーディオ信号の音量調整データとディレイ時間設定データとを生成し、この音量調整データとディレイ時間設定データに応じて前記各チャンネルのオーディオ信号に対する音量とディレイ時間を制御するオーディオ信号再生装置と、
を備えることを特徴とするサラウンドシステム。
【発明の詳細な説明】
【技術分野】
【０００１】
本発明は、オーディオ・ビジュアル再生機器の分野に属し、特に、複数チャンネルのオーディオ信号を再生し、サラウンド処理し、配置された各チャンネルのスピーカに出力してサラウンド音場をつくるサラウンドシステムに関する。
【背景技術】
【０００２】
ＤＶＤ等の多チャンネル音源のサラウンドシステムにおける最適なサラウンド音場を生成する技術として種々のものが提案されているが、何れも任意のリスニングポイントで最適のサラウンド音場を生成するためには、各チャンネルのオーディオ信号の音量調整やディレイ処理を適正に行う必要があり、その前提条件として、リスナーが位置するリスニングポイントから周囲に配置された各チャンネルのスピーカとの距離（相対距離或いは絶対距離）を求める必要がある。
【０００３】
例えば、リスナーがマニュアルでサラウンド処理のために必要なスピーカの設定情報（スピーカの有無、部屋の大きさ、リスナーのリスニングポイントからスピーカまでの距離、音量バランス等）をオーディオ再生装置に入力する方式があるが、この方式はリスナーが各スピーカの距離データやレベル情報等を正しく入力設定し、所定の正しいリスニングポイントで聴取するのであれば最適なサラウンド音場を得られる利点があるが、手順が複雑であり、設定に慣れていないリスナーには難解であって時間がかかるという欠点がある。しかもリスニングポイントから配置された各チャンネルのスピーカまでの距離はリスナーがメジャーでそれぞれ測って入力する必要があるのでリスナーにとって負担が大きすぎる。
【０００４】
また、上述の複雑なスピーカの設定を数通り（例えば、リスニングポイントから各スピーカまでの距離を、１ｍ、２ｍ、３ｍ、５ｍの４種類とする。）に大雑把に分類して予め音場の条件をマイクロコンピュータに記録しておき、リスナーに選択させる簡易な方法もあるが、数通りの組合せでは正確さが不足し、最適な音場の再現は難しい。
【０００５】
また、下記［特許文献１］には、複数チャンネルのオーディオ信号を再生・増幅するオーディオ信号再生装置と、配置された各チャンネルのスピーカから成るオーディオ再生システムにおいて、音場を最適に自動設定する音場設定手段として、図５のブロック構成図に示されるようなサラウンドシステムが提案されている。
【０００６】
即ち、オーディオ信号再生装置５０におけるＣＰＵ５０７はリスニングポイントＬＰにてリスナーＭが手を叩くなどして発したテスト音を複数チャンネルの各スピーカ３１〜３５によって集音したデータとして、Ａ／Ｄコンバータ５０７１にてＡ／Ｄ変換させ取り込む。取り込まれたデータから各チャンネルのスピーカ３１〜３５が集音した時刻及び音量レベルを算出する。算出したデータに基づき各チャンネルのオーディオ信号に対するディレイ時間設定データ及び音量調整データを生成する。ＤＳＰ５０６は前記ディレイ時間設定データに基づき各チャンネルのオーディオ信号にディレイ時間を付加する。また、音量調整部５０８は前記音量調整データに基づき各チャンネルのオーディオ信号の音量レベルを調整するという構成である。
【０００７】
また、下記［特許文献２］には、５．１ｃｈサラウンドシステムを容易に形成するため、図６の構成図に示されるように、サラウンドスピーカ１５、１６とサブウーファ１７を搭載した機器本体１２を視聴者の視聴位置ＬＰの背面側に配置し、センタースピーカ１３ａとテレビジョン受像機１１０の左右スピーカ１１２，１１３を視聴位置ＬＰの前面側に配置するときに、左右のリアスピーカ１５，１６の音量設定に必要な、機器本体１２とセンタースピーカ１３ａとの間の距離を専用ケーブル１４に形成されているスケール１９を用いてリスナー自らマニュアルで計測し、入力できるようにした構成の音声出力装置（ＤＶＤプレーヤ１１）が開示されている。
【０００８】
【特許文献１】特開２００４−３０４７７８号公報
【０００９】
【特許文献２】特開２００２−１７１６００号公報
【発明の開示】
【発明が解決しようとする課題】
【００１０】
［特許文献１］のサラウンドシステムによる音場設定手段は、スピーカ３１〜３５をマイクとして利用し、リスナーＭが手を叩くなどしてテスト音を発音し、そのテスト音を各スピーカ３１〜３５で集音して相対距離を測定するので、別途マイクなどを必要としない点は優れるものの、周囲の雑音などの影響でリスナーの手を叩いた音を拾う際に誤差が生じ、時刻及び音量レベルを正確に測定できない場合が有りうる。また、力の弱い女性の場合は手を叩く音が小さくて測定動作が正常に機能しない可能性もある。
【００１１】
また、［特許文献２］の音声出力装置の音量設定方法は、図６の（ａ），（ｂ）から判るように、（ａ）のリアスピーカ１５、１６を備える機器本体１２とセンタースピーカ１３ａとの距離を（ｂ）のスケール１９で測定するものであり、サラウンドシステムにおける各チャンネルのスピーカとリスニングポイントＬＰとの距離測定に上記音量設定方法を応用することは、結局、リスナーがそれぞれメジャーで測定して入力することと同じであり、前提条件設定の簡易化の趣旨には沿わない。
【００１２】
本発明は上記事情に鑑みてなされたものであり、サラウンドシステムにより形成されるサラウンド音場を、リスニングポイントを考慮した最適なサラウンド音場に自動設定することが簡単且つ正確にできるように、任意のリスニングポイントと各チャンネルのスピーカとの距離を簡単且つ確実に測定し、その距離データをシステムのオーディオ信号再生装置に伝送するためのサラウンドシステムのセッティングに有用な測距装置と、それを用いた音場設定方法、及びサラウンドシステムを提供することを目的とする。
【課題を解決するための手段】
【００１３】
本発明は上記目的を達成するため、以下の（ａ）から（ｄ）の測距装置、音場設定方法及びサラウンドシステムを提供するものである。
【００１４】
（ａ）サラウンドシステム（１０）における任意のリスニングポイント（ＬＰ）から配置された各チャンネル（Ｌ，Ｃ，Ｒ，ＳＬ，ＳＲ）のスピーカ（ＳＰ１〜ＳＰ５）との距離（Ｌ１〜Ｌ５）を測定する測距手段（２）と、前記測距手段（２）によって得られた各チャンネル（Ｌ，Ｃ，Ｒ，ＳＬ，ＳＲ）のスピーカ（ＳＰ１〜ＳＰ５）との距離データ（Ｄ１〜Ｄ５）を前記サラウンドシステム（１０）に伝送する距離データ伝送手段（３）と、を備えることを特徴とする測距装置（１）。
【００１５】
（ｂ）三角測距方式または位相差検出方式のレンズのオートフォーカス機能を備え、サラウンドシステム（１０）における任意のリスニングポイント（ＬＰ）から配置された各チャンネル（Ｌ，Ｃ，Ｒ，ＳＬ，ＳＲ）のスピーカ（ＳＰ１〜ＳＰ５）との距離を前記レンズのフォーカス動作によって測定する測距手段（２Ａ）と、前記測距手段（２Ａ）によって得られた各チャンネル（Ｌ，Ｃ，Ｒ，ＳＬ，ＳＲ）のスピーカ（ＳＰ１〜ＳＰ５）との距離データ（Ｄ１〜Ｄ５）を有線通信（ＵＳＢ）または無線通信によって前記サラウンドシステム（１０）に伝送する距離データ伝送手段（３Ａ）と、を備えることを特徴とする測距装置（１Ａ）。
【００１６】
（ｃ）オーディオ信号再生装置（９）より出力された複数チャンネルのオーディオ信号（Ｓ１〜Ｓ５）を配置された各チャンネル（Ｌ，Ｃ，Ｒ，ＳＬ，ＳＲ）のスピーカ（ＳＰ１〜ＳＰ５）から再生することによりサラウンド音場を形成するサラウンドシステム（１０）の音場設定方法において、任意のリスニングポイント（ＬＰ）にて（ａ）または（ｂ）に記載の測距装置（１または１Ａ）を用いて配置された前記各チャンネル（Ｌ，Ｃ，Ｒ，ＳＬ，ＳＲ）のスピーカ（ＳＰ１〜ＳＰ５）との距離（Ｌ１〜Ｌ５）を測定し、前記測距装置（１または１Ａ）で得られた前記リスニングポイント（ＬＰ）から前記各チャンネル（Ｌ，Ｃ，Ｒ，ＳＬ，ＳＲ）のスピーカ（ＳＰ１〜ＳＰ５）までの距離データ（Ｄ１〜Ｄ５）を前記サラウンドシステム（１０）のオーディオ信号再生装置（９）に伝送し、前記オーディオ信号再生装置（９）は、前記測距装置（１または１Ａ）から伝送された前記距離データ（Ｄ１〜Ｄ５）に基づいて前記各チャンネル（Ｌ，Ｃ，Ｒ，ＳＬ，ＳＲ）のオーディオ信号（Ｓ１〜Ｓ５）の音量調整データとディレイ時間設定データを生成するとともに、前記音量調整データとディレイ時間設定データに応じて前記各チャンネル（Ｌ，Ｃ，Ｒ，ＳＬ，ＳＲ）のオーディオ信号に対する音量とディレイ時間を制御して前記各チャンネル（Ｌ，Ｃ，Ｒ，ＳＬ，ＳＲ）のスピーカ（ＳＰ１〜ＳＰ５）に出力することを特徴とする音場設定方法。
【００１７】
（ｄ）オーディオ信号再生装置（９）より出力された複数チャンネルのオーディオ信号（Ｓ１〜Ｓ５）を配置された各チャンネル（Ｌ，Ｃ，Ｒ，ＳＬ，ＳＲ）のスピーカ（ＳＰ１〜ＳＰ５）から再生することによりサラウンド音場を形成するサラウンドシステム（１０）において、任意のリスニングポイント（ＬＰ）から配置された前記各チャンネルのスピーカ（ＳＰ１〜ＳＰ５）までの距離（Ｌ１〜Ｌ５）を測定し、その距離データ（Ｄ１〜Ｄ５）を前記オーディオ信号再生装置（９）に伝送する（ａ）または（ｂ）に記載の測距装置（１または１Ａ）と、前記測距装置（１または１Ａ）から伝送された前記距離データ（Ｄ１〜Ｄ５）を取得し、各チャンネル（Ｌ，Ｃ，Ｒ，ＳＬ，ＳＲ）のスピーカ毎の前記リスニングポイント（ＬＰ）における前記距離データ（Ｄ１〜Ｄ５）を比較することにより、前記各チャンネル（Ｌ，Ｃ，Ｒ，ＳＬ，ＳＲ）のオーディオ信号（Ｓ１〜Ｓ５）の音量調整データとディレイ時間設定データとを生成し、この音量調整データとディレイ時間設定データに応じて前記各チャンネル（Ｌ，Ｃ，Ｒ，ＳＬ，ＳＲ）のオーディオ信号（Ｓ１〜Ｓ５）に対する音量とディレイ時間を制御するオーディオ信号再生装置（９）と、を備えることを特徴とするサラウンドシステム（１０）。
【発明の効果】
【００１８】
本発明の測距装置、音場設定方法、及びサラウンドシステムによれば、
（１）リスナーが自ら定めた任意のリスニングポイントで簡単且つ正確に配置された各チャンネルのスピーカとの距離が測定されるとともにサラウンドシステムのオーディオ信号再生装置に伝送することができる。
（２）オートフォーカス機能付きデジタルカメラなどの既存機器を測距装置として利用することができる。
（３）前記測距装置を用いて簡単且つ正確に各チャンネルのスピーカとの距離が測定され、且つ、その距離データがサラウンドシステムのオーディオ信号再生装置に伝送されるので、オーディオ信号再生装置において、得られた距離データに基づいて生成した音量調整データとディレイ時間設定データに応じて各チャンネルのオーディオ信号の音量とディレイ時間を制御することにより、リスナーの定めた任意のリスニングポイントにおいて最適なサラウンド音場を生成することができる。
【発明を実施するための最良の形態】
【００１９】
本発明に係る測距装置、音場設定方法、及びサラウンドシステムの実施の形態について添付図面を参照して説明する。
【００２０】
図１は本発明の測距装置の一実施形態を説明するための図である。図２は本発明に係る音場設定方法の距離データを測定する方法を説明するための図である。図３は本発明に係るサラウンドシステムの構成例を示すブロック図である。図４本発明に係る音場設定方法における距離データ取得手順を説明するためのフロー図である。
【００２１】
図１または図２において、本発明の測距装置１は、サラウンドシステム１０における任意のリスニングポイントＬＰから、その周囲に配置された各チャンネルＬ（フロント左チャンネル），Ｃ（センターチャンネル），Ｒ（フロント右チャンネル），ＳＬ（サラウンド左チャンネル），ＳＲ（サラウンド右チャンネル）のスピーカＳＰ１〜ＳＰ５との距離Ｌ１〜Ｌ５（絶対距離）を測定する測距手段２と、前記測距手段２によって得られた各チャンネルＬ，Ｃ，Ｒ，ＳＬ，ＳＲのスピーカＳＰ１〜ＳＰ５との距離データＤ１〜Ｄ５を前記サラウンドシステム１０に伝送する距離データ伝送手段３と、を備える構成である。
【００２２】
上記測距手段２は、典型的にはオートフォーカス（ＡＦ）機能付きカメラ（デジタルカメラ、デジタルビデオカメラ、携帯電話のデジタルカメラを含む）で適用されている位相差検出方式または三角測距方式のレンズのオートフォーカス機能による測距手段２Ａで実現される。
【００２３】
例えば、ＡＦ一眼レフカメラの場合、図１に示されるように、ＡＦセンサ内部のＣＣＤイメージセンサ（３個のハッチ部分）が検出した反射光の位置や濃淡量を基に、マイクロコンピュータが焦点のずれ量を割り出し、ＡＦモータの駆動によりフォーカスレンズを前後に移動させて合焦させている。
【００２４】
また、デジタルビデオカメラのデジタルオートフォーカスは、受光体のＣＣＤセンサやＣＭＯＳセンサから送られてくる映像信号をデジタル化したデータ（量子化した色信号）を用い、マイクロコンピュータ制御で、レンズを細かく動かして像の映像信号の周波数成分の値を検知して、周波数成分が低ければボケの状態、高周波成分になればなるほどピントが合っている状態と判断され、高周波成分を絞っていき、最終的に周波数の一番高い位置（合焦点）にレンズがくるように制御される。
【００２５】
また、コンパクトカメラで汎用されている三角測距方式は、本体に内蔵の赤外線発光ダイオードＬＥＤから被写体に向けて赤外線を発光し、ＬＥＤと離して設置した位置検出素子が被写体からの反射光を検出する。この時、カメラから被写体までの距離によって反射光が当たる検出素子上の位置が変わるため、それによってマイクロコンピュータが距離を計算し、レンズを移動して合焦させている。
【００２６】
以上のようなオートフォーカス機能において、フォーカス時の合焦の時点で前記マイクロコンピュータは被写体であるスピーカＳＰ１〜ＳＰ５との距離データＤ１〜Ｄ５を算出する。
【００２７】
図１の本発明の好ましい最良の形態の測距装置１Ａは、上記のようなデジタルカメラなどで用いられているオートフォーカス機能が有する被写体との距離測定手段をそのままリスニングポイントＬＰから各スピーカＳＰ１〜ＳＰ５までの測距手段２Ａとして適用したものである。
【００２８】
また、前記測距手段２、２Ａによって得られたリスニングポイントＬＰから各チャンネルのスピーカＳＰ１〜ＳＰ５までの距離データＤ１〜Ｄ５を前記サラウンドシステム１０のオーディオ信号再生装置９に伝送する距離データ伝送手段２としては、最良の形態としてパーソナルコンピュータと周辺機器を接続する規格化されたシリアル・インターフェースのＵＳＢ（Universal Serial Bus）接続で行う距離データ伝送手段２Ａが挙げられる。
【００２９】
そして上記測距装置１、１Ａは、新たにサラウンドシステムの付属装置としてリモートコントロール（リモコン）に内蔵させるなどして作ることもできるが、上述の説明から判るように、既存のオートフォーカス機能付きデジタルカメラ（パンフォーカスのみのコンパクトデジタルカメラもあるが、大半のデジタルカメラはオートフォーカス機能付である。）を利用することもできる。
【００３０】
即ち、一般にデジタルカメラは外部への画像データの転送手段としてシリアル・インターフェースのＵＳＢポートが設けられており、デジタルカメラとパーソナルコンピュータをＵＳＢコードで接続してデジタルカメラ内蔵のメモリ装置に記録された画像データを転送することは現に行われている。したがって、前記距離データＤ１〜Ｄ５を別途に伝送可能にするようなフォーマットをデジタルカメラのマイクロコンピュータのプログラムに組むか、或いはプログラムを外部から書き込める構成とすることで前記距離データ伝送手段２Ａが容易に実現できる。
【００３１】
次に、図２のように配置された複数チャンネルＬ，Ｃ，Ｒ，ＳＬ，ＳＲのスピーカＳＰ１〜ＳＰ５とオーディオ信号再生装置９を備える本発明のサラウンドシステム１０は、図３のブロック図に示されるように、オーディオ信号再生装置９より出力された複数チャンネルのオーディオ信号Ｓ１〜Ｓ５を配置された各チャンネルのスピーカＳＰ１〜ＳＰ５から再生することによりサラウンド音場を形成する構成であって、特に、リスナーの定めた任意のリスニングポイントＬＰから配置された前記各チャンネルのスピーカＳＰ１〜ＳＰ５までの距離Ｌ１〜Ｌ５を測定し、その距離データＤ１〜Ｄ５を前記オーディオ信号再生装置９にＵＳＢ接続コード８などで伝送する測距装置１Ａと、前記測距装置１Ａから伝送された前記距離データＤ１〜Ｄ５を外部インターフェース４を介して取得し、各チャンネルＬ，Ｃ，Ｒ，ＳＬ，ＳＲのスピーカＳＰ１〜ＳＰ５毎の前記リスニングポイントＬＰにおける前記距離データＤ１〜Ｄ５を比較することにより、前記各チャンネルＬ，Ｃ，Ｒ，ＳＬ，ＳＲのオーディオ信号Ｓ１〜Ｓ５の音量調整データとディレイ時間設定データとを生成し、この音量調整データとディレイ時間設定データに応じて前記各チャンネルＬ，Ｃ，Ｒ，ＳＬ，ＳＲのオーディオ信号Ｓ１〜Ｓ５に対する音量とディレイ時間を制御する音場処理部のＤＳＰ６、システムコントロールマイクロコンピュータ５を主体とするオーディオ信号再生装置９と、を備える構成に特徴を有する。勿論、前記オーディオ信号再生装置９には、上記の他にＤＶＤ、ＴＶ、ＦＭラジオのデジタルチューナなどからのオーディオ信号を入力する外部音声入力部や表示部、操作部、アンプ部などを備える。
【００３２】
次に、本発明の音場設定方法は、従来と同様に、オーディオ信号再生装置より出力された複数チャンネルのオーディオ信号Ｓ１〜Ｓ５を配置された各チャンネルＬ，Ｃ，Ｒ，ＳＬ，ＳＲのスピーカＳＰ１〜ＳＰ５から再生することによりサラウンド音場を形成するのであるが、特に、その音場設定の前提条件であるリスニングポイントＬＰと配置された各チャンネルＬ，Ｃ，Ｒ，ＳＬ，ＳＲのスピーカＳＰ１〜ＳＰ５との距離データＤ１〜Ｄ５（絶対距離）を取得する手順に特徴を有する。以下、この距離データ取得の手順について説明する。
【００３３】
（図２、図３を参照しつつ）図４において、任意のリスニングポイントＬＰにて測距装置１Ａとしてデジタルカメラ（以下、カメラと称する。）を利用し、該カメラ１Ａとオーディオ信号再生装置９との通信初期設定を行う（ステップＳ１）。
【００３４】
次に、オーディオ信号再生装置９の表示部にカメラ１Ａを特定のスピーカ（例えばフロント左スピーカＳＰ１）に向けてシャッターを押す（半押し）ように表示する（ステップＳ２）。
【００３５】
次に、使用者（リスナー）がカメラを指定されたスピーカＳＰ１に向けてシャッターを押してフォーカス動作を行わしめ、カメラは距離データＤ１を算出する。
【００３６】
次に、前記距離データＤ１は自動的にＵＳＢケーブルを介してオーディオ信号再生装置９の外部インターフェース４に伝送され、システムコントロールマイコン５に入力される。
【００３７】
以上の手順を全てのスピーカＳＰ１〜ＳＰ５に対して行い、全てのスピーカの距離データＤ１〜Ｄ５が伝送された（スピーカＳＰ１〜ＳＰ５の設定が終了した）かを判定し、ＹＥＳでカメラ１Ａとの通信を終了する。
【００３８】
次に、前記オーディオ信号再生装置９は、前記カメラ１Ａから伝送された前記距離データＤ１〜Ｄ５に基づいて各チャンネルＬ，Ｃ，Ｒ，ＳＬ，ＳＲのオーディオ信号Ｓ１〜Ｓ５の音量調整データとディレイ時間設定データをシステムコントロールマイクロコンピュータ５において生成するとともに、前記音量調整データとディレイ時間設定データに応じて前記各チャンネルＬ，Ｃ，Ｒ，ＳＬ，ＳＲのオーディオ信号に対する音量とディレイ時間をＤＳＰ６のサラウンド処理において制御して前記各チャンネルＬ，Ｃ，Ｒ，ＳＬ，ＳＲのスピーカＳＰ１〜ＳＰ５に出力する。
【００３９】
以上のように、本発明のサラウンドシステム及び音場設定方法では、サラウンド音場設定の処理のための基礎となるリスニングポイントＬＰと配置された各チャンネルのスピーカとの距離データを、独特な方法で簡易且つ正確に測定・伝送しているので、リスナーＭにとって最適のサラウンド音場が容易に実現できるのである。
【００４０】
また、リスナーＭにとってはリスニングポイントＬＰの自由さと音場設定に対する当事者としての参与を実感でき、楽しみながら自分自身の最適なサラウンド音場をつくることができるという満足感が得られるのである。
【００４１】
なお、上述の実施の形態では、５チャンネルの場合を想定したが、勿論、５．１チャンネルや７．１チャンネルの場合も同様であり、音源のオーディオ入力信号は、デジタル２チャンネル、デジタルマルチチャンネル、或いはアナログ信号であってもよいことは言うまでもない。また、距離データ伝送手段３は、ＵＳＢ接続による有線通信に限らず、コスト面を顧慮しなければ、無線通信を測距手段１とオーディオ信号再生装置９間で行うように送受信装置を相互に設けることでも実現できることは言うまでもない。
【図面の簡単な説明】
【００４２】
【図１】本発明の測距装置の一実施形態を説明するための図である。
【図２】本発明に係る音場設定方法の距離データを測定する方法を説明するための図である。
【図３】本発明に係るサラウンドシステムの構成例を示すブロック図である。
【図４】本発明に係る音場設定方法における距離データ取得手順を説明するためのフロー図である。
【図５】特開２００４−３０４７７８号公報（特許文献１）に記載のサラウンドシステムを説明するためのブロック構成図である。
【図６】特開２００２−１７１６００号公報（特許文献２）に記載の音声出力装置を説明するための構成図である。
【符号の説明】
【００４３】
１      測距装置
１Ａ    測距装置（デジタルカメラ）
２、２Ａ      測距手段
３、３Ａ      距離データ伝送手段
４      外部インターフェース
５      システムコントロールマイクロコンピュータ
６      ＤＳＰ
８      ＵＳＢコード
９      オーディオ信号再生装置
１０    サラウンドシステム
ＳＰ１〜ＳＰ５    スピーカ
Ｌ１〜Ｌ５    距離
Ｄ１〜Ｄ５    距離データ
ＬＰ    リスニングポイント
Ｍ      リスナー
Ｌ      フロント左チャンネル
Ｃ      センターチャンネル
Ｒ      フロント右チャンネル
ＳＬ    サラウンド左チャンネル
ＳＲ    サラウンド右チャンネル
【図１】
2007043320.tif 000003
【図２】
2007043320.tif 000004
【図３】
2007043320.tif 000005
【図４】
2007043320.tif 000006
【図５】
2007043320.tif 000007
【図６】
2007043320.tif 000008